(57)【要約】【課題】発光体の種類が少なく、より簡単かつ低コスト的な構成で表示パネルの輝度むらの改善や中心部輝度アップを実現できる。【解決手段】１つのＬＥＤ素子から構成される１又は複数の第１種の発光体（４１）と、２つのＬＥＤ素子から構成される１又は複数の第２種の発光体（４２）と、上記１又は複数の第１種の発光体（４１）及び上記１又は複数の第２種の発光体（４２）が実装された基板（４３）とを備えている発光ユニット（４）。【選択図】図６
2019075348.tif 000002
【特許請求の範囲】
【請求項１】
１つのＬＥＤ素子から構成される１又は複数の第１種の発光体と、
２つのＬＥＤ素子から構成される１又は複数の第２種の発光体と、
上記１又は複数の第１種の発光体及び上記１又は複数の第２種の発光体が実装された基板と
を備えていることを特徴とする発光ユニット。
【請求項２】
複数のＬＥＤ駆動回路を備え、
各ＬＥＤ駆動回路には、
上記第１種の発光体を２つ纏めて接続されるか、又は、
上記第２種の発光体が１つ接続される
ことを特徴とする請求項１に記載の発光ユニット。
【請求項３】
請求項１又は２に記載の発光ユニットを１又は複数備えていることを特徴とするバックライトユニット。
【請求項４】
上記１又は複数の発光ユニットに加え、１又は複数の第２の発光ユニットを備え、
上記第２の発光ユニットは、
１つのＬＥＤ素子から構成される１又は複数の第１種の発光体と、
上記１又は複数の第１種の発光体が実装された基板と
を備え、２つのＬＥＤ素子から構成される１又は複数の第２種の発光体を備えていない
ことを特徴とする請求項３に記載のバックライトユニット。
【請求項５】
上記１又は複数の発光ユニットと、上記１又は複数の第２の発光ユニットとを、表示画面の中央部領域の明るさが、その他の領域に比べて明るくなるように配置した
ことを特徴とする請求項４に記載のバックライトユニット。
【請求項６】
上記１又は複数の発光ユニットに加え、１又は複数の第３の発光ユニットを備え、
上記第３の発光ユニットは、
２つのＬＥＤ素子から構成される１又は複数の第２種の発光体と、
上記１又は複数の第２種の発光体が実装された基板と
を備え、１つのＬＥＤ素子から構成される１又は複数の第１種の発光体を備えていない
ことを特徴とする請求項３に記載のバックライトユニット。
【請求項７】
上記１又は複数の発光ユニットと、上記１又は複数の第３の発光ユニットとを、表示画面の周辺部領域の明るさが、その他の領域に比べて明るくなるように配置した
ことを特徴とする請求項６に記載のバックライトユニット。
【請求項８】
１又は複数の第１の発光ユニットと、１又は複数の第２の発光ユニットとを備えたバックライトユニットであって、
上記第１の発光ユニットは、
１つのＬＥＤ素子から構成される１又は複数の第１種の発光体と、
２つのＬＥＤ素子から構成される１又は複数の第２種の発光体と、
上記１又は複数の第１種の発光体及び上記１又は複数の第２種の発光体が実装された基板と、
上記ＬＥＤ素子を駆動する第１の駆動回路と、
を備え、
上記第２の発光ユニットは、
１つのＬＥＤ素子から構成される１又は複数の第１種の発光体と、
上記１又は複数の第１種の発光体が実装された基板と、
上記ＬＥＤを駆動する第２の駆動回路と
を備え、２つのＬＥＤ素子から構成される１又は複数の第２種の発光体を備えておらず、
上記第１の駆動回路に接続されるＬＥＤ素子の個数と、上記第２の駆動回路に接続されるＬＥＤ素子の個数は同じである
ことを特徴とするバックライトユニット。
【請求項９】
１又は複数の第１の発光ユニットと、１又は複数の第３の発光ユニットとを備えたバックライトユニットであって、
上記第１の発光ユニットは、
１つのＬＥＤ素子から構成される１又は複数の第１種の発光体と、
２つのＬＥＤ素子から構成される１又は複数の第２種の発光体と、
上記１又は複数の第１種の発光体及び上記１又は複数の第２種の発光体が実装された基板と、
上記ＬＥＤ素子を駆動する第１の駆動回路と、
を備え、
上記第３の発光ユニットは、
２つのＬＥＤ素子から構成される１又は複数の第２種の発光体と、
上記１又は複数の第２種の発光体が実装された基板と、
上記ＬＥＤを駆動する第３の駆動回路と
を備え、１つのＬＥＤ素子から構成される１又は複数の第１種の発光体を備えておらず、
上記第１の駆動回路に接続されるＬＥＤ素子の個数と、上記第３の駆動回路に接続されるＬＥＤ素子の個数は同じである
ことを特徴とするバックライトユニット。
【請求項１０】
請求項３から９の何れか１項に記載のバックライトユニットを備えていることを特徴とする表示装置。
【請求項１１】
請求項１０の記載の表示装置を備えていることを特徴とするテレビジョン受像機。
【発明の詳細な説明】
【技術分野】
【０００１】
本発明は発光ユニット、バックライトユニット、表示装置、およびテレビジョン受像機に関する。
【背景技術】
【０００２】
近年では、テレビジョン受像機、コンピュータのディスプレイおよび各種の情報表示装置の表示パネルに液晶表示装置が広範に利用されている。通常は、液晶表示装置は、液晶パネル、拡散板、バックライトユニット、および背面筐体を備えており、バックライトユニットは表示パネルを照射する。バックライトユニットとして、表示パネルの背面側に光源を配置したものがある。特に、光源としてＬＥＤ発光素子（発光ダイオード）を用い、多数のＬＥＤ発光素子を表示パネルの背面側に配置してある液晶表示装置は、画質を重視する用途に用いられている。そこで、ユーザの視聴感を向上させるため、液晶表示装置の表示パネルの輝度を調整する技術が盛んに研究されている。
【０００３】
例えば特許文献１には、直下型のバックライトを備え、画面の輝度を均一にしながらも消費電力及び発熱量を削減することができる液晶表示装置が開示されている。具体的には、図１２に示すように、特許文献１における液晶表示装置は、バックライト７０に含まれる複数のＬＥＤ７１を、中央部分で密に、端側部分で疎になるように不均等に配置している。バックライト７０には、発光効率及び発光スペクトラムが異なる複数種類のＬＥＤ７１が含まれており、バックライト７０の端側部分に発光効率のより高いＬＥＤ７１が配置されている。
【先行技術文献】
【特許文献】
【０００４】
【特許文献１】特開２０１３−１０１７６７（２０１３年５月２３日公開）
【発明の概要】
【発明が解決しようとする課題】
【０００５】
特許文献１に開示の技術では、画面の輝度を均一にするために、複数種類のＬＥＤを不均等に配置する必要がある。その結果、部品種類が増大し、液晶表示装置の製造コストが高くなるという問題がある。
【０００６】
本発明は上記の問題に鑑みてなされたものであって、より簡単かつ低コスト的な構成で表示パネルの輝度むらの改善や中心部輝度アップを実現することにある。
【課題を解決するための手段】
【０００７】
上記の課題を解決するために、本発明の一態様に係る発光ユニットは、１つのＬＥＤ素子から構成される１又は複数の第１種の発光体と、２つのＬＥＤ素子から構成される１又は複数の第２種の発光体と、上記１又は複数の第１種の発光体及び上記１又は複数の第２種の発光体が実装された基板とを備えている。
【発明の効果】
【０００８】
本発明の一態様によれば、より簡単かつ低コスト的な構成で表示パネルの輝度むらの改善や中心部輝度アップを実現できる。
【図面の簡単な説明】
【０００９】
【図１】本発明の実施形態１における表示装置の構成を示す斜視模式図である。
【図２】本発明の実施形態１における発光ユニットの構成例を示す模式図である。
【図３】図２におけるＸ-Ｘ断面図である。
【図４】本発明の実施形態１におけるバックライトユニットの構成例を示す模式図である。
【図５】本発明の実施形態１における表示装置の要部構成を示すブロック図である。
【図６】本発明の実施形態１における表示装置のＬＥＤバーの構成例１−１を示す図であり、（ａ）は発光体配置状態を示し、（ｂ）はＬＥＤバー４５Ａの配線状態を示し、（ｃ）はＬＥＤバー４５Ｂの配線状態を示す。
【図７】本発明の実施形態１における表示装置のＬＥＤバーの構成例１−２を示す図で、（ａ）は発光体配置状態を示し、（ｂ）はＬＥＤバー４５Ｃの配線状態を示し、（ｃ）はＬＥＤバー４５Ｄの配線状態を示す。
【図８】本発明の実施形態２における表示装置のＬＥＤバーの構成例２−１を示す図で、（ａ）は発光体配置状態を示し、（ｂ）はＬＥＤバー４５Ａ-１の配線状態を示し、（ｃ）はＬＥＤバー４５Ｂ-１の配線状態を示す。
【図９】本発明の実施形態２における表示装置のＬＥＤバーの構成例２−２を示す図で、（ａ）は発光体配置状態を示し、（ｂ）はＬＥＤバー４５Ｃ-１の配線状態を示し、（ｃ）はＬＥＤバー４５Ｄ-１の配線状態を示す。
【図１０】本発明の実施形態３における表示装置のＬＥＤバーの構成例３−１を示す図で、（ａ）は発光体配置状態を示し、（ｂ）はＬＥＤバー４５Ｅの配線状態を示し、（ｃ）はＬＥＤバー４５Ｆの配線状態を示す。
【図１１】本発明の実施形態３における表示装置のＬＥＤバーの構成例３−２を示す図で、（ａ）は発光体配置状態を示し、（ｂ）はＬＥＤバー４５Ｇの配線状態を示し、（ｃ）はＬＥＤバー４５Ｈの配線状態を示す。
【図１２】従来技術のバックライトにおける発光体配置状態を示す図である。
【発明を実施するための形態】
【００１０】
〔実施形態１〕
以下、本実施形態１について、図１〜７を参照しながら詳細に説明する。
【００１１】
（表示装置の構成）
図１は、本実施形態１における表示装置１の構成を示す斜視模式図である。
【００１２】
図１に示すように、表示装置１は表面側から背面側の順に、表示パネル２、拡散板３、バックライトユニット４、および背面筐体５を備えている。
【００１３】
表示パネル２は、例えば液晶表示パネルであり、後述する表示パネル制御部１１から出力された表示情報を表示する。一例として、表示パネル２は、アクティブマトリックス方式の液晶表示パネルであって、ＴＦＴパネルと対向基板と保護基板とを備えている。上記ＴＦＴパネルと対向基板との間には、液晶素子であるセルがマトリックス状に配置されている。
【００１４】
拡散板３は、上記表示パネル２の背面側に配置されている。拡散板３は、例えば乳白色のプラスチック板からなり、後述するバックライトユニット４の発光むらを防止することができ、表示装置１全体の光学的品質の向上を図ることができる。
【００１５】
バックライトユニット４は、上記拡散板３の背面側に配置されている。バックライトユニット４は、後述するバックライトユニット制御部１２から出力された制御信号に基づいて、表示パネル２を照射する。バックライトユニット４は、後述する発光ユニットを備えており、このバックライトユニット４の詳細な構成については後述する。
【００１６】
背面筐体５は、上記バックライトユニット４の背面側に配置されている。背面筐体５は、上述の表示パネル２と、拡散板３と、バックライトユニット４とを支持する。
【００１７】
なお、表示装置１とチューナとを備えているテレビジョン受像機も本明細書に記載の発明に含まれる。
【００１８】
（バックライトユニットの基本構成）
以下、バックライトユニット４の基本構成について、図２〜４を参照しながら詳細に説明する。
【００１９】
図２は、本実施形態１における発光ユニットの構成例を示す模式図である。
【００２０】
図２に示すように、バックライトユニット４は、１つのＬＥＤ（Light Emitting Diode）素子４０から構成される１又は複数の第１種の発光体４１と、２つのＬＥＤ素子４０から構成される１又は複数の第２種の発光体４２と、上記１又は複数の第１種の発光体４１及び上記１又は複数の第２種の発光体４２が実装された基板４３とを備えている。
【００２１】
第１種の発光体４１に比較して、第２種の発光体４２は発光量が大きい。また、第２種の発光体４２は、同一のＬＥＤ素子４０から構成されているため、コストを大きく増大させることがない。
【００２２】
図２においては、６行×８列＝４８個の発光体を例示している。例えば６行を上から下の順でＡ〜Ｆとし、８列を左から右の順でａ〜ｈとすると、図２に示すように、第２種の発光体４２はＢｃ〜Ｂｆ、Ｃｃ〜Ｃｆ、Ｄｃ〜Ｄｆ、Ｅｃ〜Ｅｆで計１６個である。残りの３２個は第１種の発光体４１である。
【００２３】
ここで、図２においては、６行の発光体を６本のＬＥＤバー４５と総称しているが、Ａ行とＦ行とのＬＥＤバーは、それぞれ第１種の発光体４１のみを備え、Ｂ行〜Ｅ行のＬＥＤバーは、それぞれ第１種の発光体４１および第２種の発光体４２の両方を備えている。
【００２４】
図３は、図２におけるＸ-Ｘ断面図である。図３に示すように、１本のＬＥＤバーを構成する発光体は、例えば、互いに離間して配置されているが、これは本実施形態を限定するものではない。また、ＬＥＤ素子４０は、発光輝度が可変な素子として構成されてもよい。
【００２５】
図４は、本実施形態１におけるバックライトユニット４の構成例を示す模式図である。
【００２６】
図４に示すように、バックライトユニット４は、一例として、表示装置１の正置状態において水平方向に延伸するＬＥＤバー４５を備えている。図４に示す例ではＬＥＤバー４５の本数は６本である。
【００２７】
なお、本実施形態１においては、６行×８列＝４８個の発光体を例示したが、本発明はこのような構成に限定されない。発光体の個数が実状に応じて適宜変更できる。また、ＬＥＤバー４５の延伸方向は水平方向に限られるわけではなく、例えば、表示装置１の正置状態において垂直方向に延伸するような設計を採用してもよい。
【００２８】
（表示装置の要部構成）
図５は、本実施形態１における表示装置１の要部構成を示すブロック図である。
【００２９】
図５に示すように、機能的な構成として、表示装置１は、映像信号処理部１０、表示パネル制御部１１、バックライトユニット制御部１２、表示パネル２、およびバックライトユニット４を備える。表示装置１は、例えば外部の放送局等から映像信号を受信し、表示装置１の表示パネル２に、映像信号が示す画像を表示する。
【００３０】
具体的には、表示装置１は、受信した映像信号を映像信号処理部１０において復号し、復号した映像信号を表示パネル制御部１１及びバックライトユニット制御部１２に供給する。
【００３１】
表示パネル制御部１１は復号した映像信号が示す画像が表示パネル２に表示されるよう、表示パネル２を制御するものである。表示パネル制御部１１は、例えば復号した映像信号が示す階調データを表示パネル２に供給し、表示パネル２に画像を表示させる。
【００３２】
また、バックライトユニット制御部１２は受信した映像信号に基づいてバックライトユニット４による表示パネル２への照射を制御するものである。
【００３３】
（ＬＥＤバーの構成例１−１）
図６は、本実施形態１における表示装置１のＬＥＤバーの構成例１−１を示す図であり、（ａ）は発光体配置状態を示し、（ｂ）はＬＥＤバー４５Ａの配線状態を示し、（ｃ）はＬＥＤバー４５Ｂの配線状態を示す。
【００３４】
バックライトユニットの設定に関し、ユーザにインパクト感（迫力感）を与えるために、表示装置１の中心部の輝度をアップすることが好ましいというケースがある。しかしながら、表示画面全体の輝度を向上させると、消費電力が増加してしまうため好ましくない。
【００３５】
そこで、本例では、図６の（ａ）に示すように、表示装置１の中心部には第２種の発光体４２を配置し、表示装置１の周辺部には第１種の発光体４１を配置する構成とする。また、例として、第２種の発光体４２の配置個数が１６個で、第１種の発光体４１の配置個数が３２個であることが挙げられる。
【００３６】
（第１の発光ユニット（第１のＬＥＤバー））
まず、図６の（ａ）及び（ｃ）に示すように、バックライトユニット４の上辺及び下辺以外に配置される４本のＬＥＤバー４５Ｂは、それぞれ、１つのＬＥＤ素子から構成される第１種の発光体４１と、２つのＬＥＤ素子から構成される第２種の発光体４２と、上記第１種の発光体４１及び上記第２種の発光体４２が実装された基板４３とを備えている。各第１種の発光体４１および第２種の発光体４２は、ＬＥＤ駆動回路６が備える各チャンネルにそれぞれ接続されている。本発明では、このような第１種の発光体４１および第２種の発光体４２を備えているＬＥＤバーを第１のＬＥＤバー、発光ユニットまたは第１の発光ユニットと呼称する。
【００３７】
（第２の発光ユニット（第２のＬＥＤバー））
また、図６の（ａ）及び（ｂ）に示すように、バックライトユニット４の上辺及び下辺に沿って配置されるＬＥＤバー４５Ａは、第１種の発光体４１を備えているが、第２種の発光体４２を備えていない。各第１種の発光体４１は、ＬＥＤ駆動回路６が備える各チャンネルにそれぞれ接続されている。本発明では、このような第１種の発光体４１を備えているが、第２種の発光体４２を備えていないＬＥＤバーを第２のＬＥＤバーまたは第２の発光ユニットと呼称する。
【００３８】
また、図６の（ｂ）、図６の（ｃ）において、ＬＥＤ駆動回路６のチャンネル数はともに８である。また、図６の（ｂ）、図６の（ｃ）に示すように、各発光体のアノードは共通に接続されている。
【００３９】
また、第２の発光ユニット４５Ａにおいては、例えば８つの第１種の発光体４１を備え、各第１種の発光体４１は水平方向に互いに離間して配置されている。また、第１の発光ユニット４５Ｂにおいては、例えば４つの第１種の発光体４１および４つの第２種の発光体４２を備え、第２種の発光体４２は水平方向の中央部に並べて配置されている。各第１種の発光体４１およびの第２種の発光体４２は水平方向に互いに離間して配置されている。
【００４０】
上記の構成によれば、１又は複数（本構成例では４つ）の第１の発光ユニット４５Ｂと、１又は複数（本構成例では２つ）の第２の発光ユニット４５Ａとを、表示画面の中央部領域の明るさが、その他の領域に比べて明るくなるように配置した。また、第１の発光ユニット４５Ｂにおいて、第２種の発光体４２は水平方向の中央部に並べて配置されているので、消費電力の上昇を抑制しつつ、表示画面中央部の輝度を効果的に向上させることが可能になる。
【００４１】
（ＬＥＤバーの構成例１−２）
図７は、本実施形態１における表示装置１のＬＥＤバーの構成例１−２を示す図で、（ａ）は発光体配置状態を示し、（ｂ）はＬＥＤバー４５Ｃの配線状態を示し、（ｃ）はＬＥＤバー４５Ｄの配線状態を示す。
【００４２】
バックライトユニットの設定に関し、表示画面全体の輝度をなるべく均一にすることが好ましいケースがある。しかしながら、表示画面中央部と表示画面周辺部とにおいて、同じ発光素子を均一に配置した場合、表示画面周辺部の輝度が低下する傾向がある。
【００４３】
そこで、本例では、図７の（ａ）に示すように、表示装置１の周辺部には第２種の発光体４２を配置し、表示装置１の中心部には第１種の発光体４１を配置する構成とする。また、例として、第２種の発光体４２の配置個数が２４個で、第１種の発光体４１の配置個数が２４個であることが挙げられる。
【００４４】
（第１の発光ユニット（第１のＬＥＤバー））
まず、図７の（ａ）及び（ｃ）に示すように、バックライトユニット４の上辺及び下辺以外に配置される４本のＬＥＤバー４５Ｄは、それぞれ、１つのＬＥＤ素子から構成される第１種の発光体４１と、２つのＬＥＤ素子から構成される第２種の発光体４２と、上記第１種の発光体４１及び上記第２種の発光体４２が実装された基板４３とを備えている。第２種の発光体４２が水平方向端部付近に配置されている。各第１種の発光体４１および第２種の発光体４２は、ＬＥＤ駆動回路６が備える各チャンネルにそれぞれ接続されている。本発明では、このような第１種の発光体４１および第２種の発光体４２を備えているＬＥＤバーを第１のＬＥＤバー、発光ユニットまたは第１の発光ユニットと呼称する。
【００４５】
（第３の発光ユニット（第３のＬＥＤバー））
また、図７の（ａ）及び（ｂ）に示すように、バックライトユニット４の上辺及び下辺に沿って配置されるＬＥＤバー４５Ｃは、第２種の発光体４２を備えているが、第１種の発光体４１を備えていない。各第２種の発光体４２は、ＬＥＤ駆動回路６が備える各チャンネルにそれぞれ接続されている。本発明では、このような第２種の発光体４２を備えているが、第１種の発光体４１を備えていないＬＥＤバーを第３のＬＥＤバーまたは第３の発光ユニットと呼称する。
【００４６】
また、図７の（ｂ）、図７の（ｃ）において、ＬＥＤ駆動回路６のチャンネル数もともに８である。
【００４７】
また、発光ユニット４５Ｃにおいては、例えば８つの第２種の発光体４２を備え、各第２種の発光体４２は水平方向に互いに離間して配置されている。また、発光ユニット４５Ｄにおいては、例えば６つの第１種の発光体４１および２つの第２種の発光体４２を備え、第１種の発光体４１は水平方向の中央部に並べて配置されている。各第１種の発光体４１およびの第２種の発光体４２は水平方向に互いに離間して配置されている。
【００４８】
また、図７の（ｂ）、図７の（ｃ）に示すように、各発光体のアノードは共通に接続されている。このような構成により、ＬＥＤ駆動回路６の簡素化を図ることができる。
【００４９】
上記の構成によれば、１又は複数（本構成例では４つ）の第１の発光ユニット４５Ｄと、１又は複数（本構成例では２つ）の第３の発光ユニット４５Ｃとを、表示画面の周辺部領域の明るさが、その他の領域に比べて明るくなるように配置した。したがって、表示画面全体の輝度の低下を抑制して表示画面全体の均一性を向上し、輝度むらの改善が可能となる。
【００５０】
以上、本実施形態１における表示装置１を説明したが、部材の数量は例示にすぎず、実状に応じて変更できる。
【００５１】
本実施形態１の構成によれば、発光体の種類が少ないため、より簡単かつ低コスト的な構成で表示パネル２の輝度むらの改善や中心部輝度アップを実現できる。
【００５２】
〔実施形態２〕
以下、本実施形態２について、図８〜９を参照しながら詳細に説明する。
【００５３】
また、実施形態２では、発光体配置状態及び配線状態が実施形態１と異なり、その他の基本構成は実施形態１と同じであるため、同様な構成の説明を省略する。
【００５４】
（ＬＥＤバーの構成例２−１）
図８は、本実施形態２における表示装置１ａのＬＥＤバーの構成例２−１を示す図で、（ａ）は発光体配置状態を示し、（ｂ）はＬＥＤバー４５Ａ-１の配線状態を示し、（ｃ）はＬＥＤバー４５Ｂ-１の配線状態を示す。
【００５５】
図８の（ａ）に示すように、表示装置１ａの中心部には第２種の発光体４２を配置し、表示装置１ａの周辺部には第１種の発光体４１を配置する構成とする。また、例として、第２種の発光体４２の配置個数が１６個で、第１種の発光体４１の配置個数が３２個であることが挙げられる。
【００５６】
（第１の発光ユニット（第１のＬＥＤバー））
まず、図８の（ｃ）に示すように、４本の発光ユニット４５Ｂ-１は、それぞれ、第１種の発光体４１および第２種の発光体４２を備えている。また、第１種の発光体４１が２つ纏めてＬＥＤ駆動回路６ａが備えるあるチャンネルに接続され、また第２種の発光体４２が１つずつＬＥＤ駆動回路６ａが備える他のチャンネルに接続されている。ここで、「２つ纏めて」とは、対象となる２つの発光体をあるチャンネルに対して直列に接続することを指す（以下同様）。
【００５７】
（第２の発光ユニット（第２のＬＥＤバー））
また、図８の（ｂ）に示すように、２本の第２の発光ユニット４５Ａ-１は、それぞれ第１種の発光体４１を備えている。各第１種の発光体４１は、２つ纏めてＬＥＤ駆動回路６ａが備える各チャンネルにそれぞれ接続されている。
【００５８】
また、図８の（ｂ）においてＬＥＤ駆動回路６ａのチャンネル数が４である一方で、図８の（ｃ）においてはＬＥＤ駆動回路６ａのチャンネル数が６である。また、本構成例においては、各チャンネルの印加電圧であるＶＦを同一にしている。
【００５９】
また、第２の発光ユニット４５Ａ-１においては、例えば８つの第１種の発光体４１を備え、各第１種の発光体４１は２つ纏めたものを４つ用意し、それらの４つを駆動回路６ａの各チャンネルに接続する。また、発光ユニット４５Ｂ-１においては、例えば４つの第１種の発光体４１および４つの第２種の発光体４２を備え、第２種の発光体４２は水平方向の中央部に並べて配置されている。各第１種の発光体４１は２つ纏めたものを２つ用意し、それらの２つと４つの第２種の発光体４２とを駆動回路６ａの各チャンネルに接続する。
【００６０】
また、図８の（ｂ）、図８の（ｃ）に示すように、各発光体のアノードは共通に接続されている。
【００６１】
図８の（ｂ）、図８の（ｃ）のように接続したので、駆動回路６ａが有する各チャンネルには、ＬＥＤ素子４０が直列に２つ接続されることになる。このため、駆動回路６ａが有する各チャンネルの印加電圧であるＶＦを互いに同じにすることができる。したがって、駆動回路６ａの構造の複雑化が抑制されるのでコストが抑制される。
【００６２】
（ＬＥＤバーの構成例２−２）
図９は、本実施形態２における表示装置１ａのＬＥＤバーの構成例２−２を示す図で、（ａ）は発光体配置状態を示し、（ｂ）はＬＥＤバー４５Ｃ-１の配線状態を示し、（ｃ）はＬＥＤバー４５Ｄ-１の配線状態を示す。
【００６３】
図９の（ａ）に示すように、表示装置１ａの周辺部には第２種の発光体４２を配置し、表示装置１ａの中心部には第１種の発光体４１を配置する構成とする。また、例として、第２種の発光体４２の配置個数が２４個で、第１種の発光体４１の配置個数が２４個であることが挙げられる。
【００６４】
（第１の発光ユニット（第１のＬＥＤバー））
まず、図９の（ｃ）に示すように、４本の発光ユニット４５Ｄ-１は、それぞれ、第１種の発光体４１および第２種の発光体４２を備えている。第２種の発光体４２が水平方向端部付近に配置されている。各第１種の発光体４１は２つ纏めたものを３つ用意し、それらの３つと２つの第２種の発光体４２とを駆動回路６ａの各チャンネルに接続する。
【００６５】
（第３の発光ユニット（第３のＬＥＤバー））
また、図９の（ｂ）に示すように、２本の第３の発光ユニット４５Ｃ-１は、それぞれ第２種の発光体４２を備えている。各第２種の発光体４２は、ＬＥＤ駆動回路６ａが備える各チャンネルにそれぞれ接続されている。
【００６６】
図９の（ｂ）においてＬＥＤ駆動回路６ａのチャンネル数が８である一方で、図９の（ｃ）においてはＬＥＤ駆動回路６ａのチャンネル数が５である。
【００６７】
また、本構成例においても、各チャンネルの印加電圧であるＶＦを同一にしている。
【００６８】
また、発光ユニット４５Ｃ-１においては、例えば８つの第２種の発光体４２を備え、各第２種の発光体４２は水平方向に互いに離間して配置されている。また、発光ユニット４５Ｄ-１においては、例えば６つの第１種の発光体４１および２つの第２種の発光体４２を備え、第１種の発光体４１は水平方向の中央部に並べて配置されている。各第１種の発光体４１およびの第２種の発光体４２は水平方向に互いに離間して配置されている。
【００６９】
また、図９の（ｂ）、図９の（ｃ）に示すように、各発光体のアノードは共通に接続されている。
【００７０】
図９の（ｃ）のように接続したので、駆動回路６ａが有する各チャンネルには、ＬＥＤ素子４０が直列に２つ接続されることになる。このため、駆動回路６ａが有する各チャンネルの印加電圧であるＶＦを互いに同じにすることができる。したがって、駆動回路６ａの構造の複雑化が抑制されるのでコストが抑制される。
【００７１】
〔実施形態３〕
以下、本実施形態３について、図１０〜１１を参照しながら詳細に説明する。
【００７２】
また、実施形態３では、発光体配置状態及び配線状態が実施形態１、２と異なり、その他の基本構成は実施形態１、２と同じであるため、同様な構成の説明を省略する。
【００７３】
（ＬＥＤバーの構成例３−１）
図１０は、本実施形態３における表示装置１ｂのＬＥＤバーの構成例３−１を示す図で、（ａ）は発光体配置状態を示し、（ｂ）はＬＥＤバー４５Ｅの配線状態を示し、（ｃ）はＬＥＤバー４５Ｆの配線状態を示す。
【００７４】
図１０の（ａ）に示すように、表示装置１ｂの中心部には第１種の発光体４１および第２種の発光体４２を備えるＬＥＤバー４５Ｆを配置し、表示装置１ｂの周辺部には第１種の発光体４１を備えるＬＥＤバー４５Ｅを配置する構成とする。また、例として、ＬＥＤバー４５Ｆの配置個数が４本で、ＬＥＤバー４５Ｅの配置個数が２本であることが挙げられる。また、ＬＥＤバー４５Ｅが実装された基板はＬ字状を呈する。
【００７５】
（第１の発光ユニット（第１のＬＥＤバー））
まず、図１０の（ｃ）に示すように、４本のＬＥＤバー４５Ｆは、それぞれ、第１種の発光体４１および第２種の発光体４２を備えている。各第１種の発光体４１および第２種の発光体４２は、ＬＥＤ駆動回路６ｂが備えるチャンネルに接続されている。
【００７６】
（第２の発光ユニット（第２のＬＥＤバー））
また、図１０の（ｂ）に示すように、２本のＬＥＤバー４５Ｅは、それぞれ、Ｌ字状に呈する基板４３に実装された第１種の発光体４１を備えている。各第１種の発光体４１は、ＬＥＤ駆動回路６ｂが備えるチャンネルに接続されている。
【００７７】
また、図１０の（ｂ）、図１０の（ｃ）においてＬＥＤ駆動回路６ｂのチャンネル数がともに１である。
【００７８】
また、本構成例においては、ＬＥＤ基板を１チャンネルにて印加電圧であるＶＦを同一にしている。
【００７９】
また、第２の発光ユニット４５Ｅにおいては、例えば１４個の第１種の発光体４１を備え、各第１種の発光体４１はＬ字状のＬＥＤ基板４３に配置されている。また、発光ユニット４５Ｆにおいては、例えば２つの第１種の発光体４１および１２個の第２種の発光体４２を備え、第２種の発光体４２は水平方向の中央部に並べて配置されている。各第１種の発光体４１およびの第２種の発光体４２は水平方向に互いに離間して配置されている。
【００８０】
また、図１０の（ｂ）、図１０の（ｃ）に示すように、ＬＥＤバー４５Ｅが備える駆動回路のＶＦとＬＥＤバー４５Ｆが備える駆動回路のＶＦとを同じにすることができるので、両者の駆動回路を共通化することができる。これによってコストの抑制を図ることができる。
【００８１】
以上のＬＥＤバーの構成例３−１においては、バックライトユニット４ｂが第１の発光体４１および第２の発光体４２の両方を備える発光ユニット４５Ｆと、第１の発光体４１を備えるが第２の発光体４２を備えていない第２の発光ユニット４５Ｅとを備える構成を説明したが、ＬＥＤバーの配置数および発光体の個数は例示にすぎず、本発明の構成を限定するものではない（以下同様）。
【００８２】
（ＬＥＤバーの構成例３−２）
図１１は、本実施形態３における表示装置１ｂのＬＥＤバーの構成例３−２を示す図で、（ａ）は発光体配置状態を示し、（ｂ）はＬＥＤバー４５Ｇの配線状態を示し、（ｃ）はＬＥＤバー４５Ｈの配線状態を示す。
【００８３】
図１１の（ａ）に示すように、表示装置１ｂの周辺部には第２種の発光体４２を備えるＬＥＤバー４５Ｇを配置し、表示装置１ｂの中心部には第１種の発光体４１および第２の発光体４２を備えるＬＥＤバー４５Ｈを配置する構成とする。また、例として、ＬＥＤバー４５Ｇの配置本数が２本で、ＬＥＤバー４５Ｈの配置本数が２本であることが挙げられる。また、ＬＥＤバー４５Ｈが実装されるＬＥＤ基板４３はＬ字状を呈する。
【００８４】
（第１の発光ユニット（第１のＬＥＤバー））
まず、図１１の（ｃ）に示すように、２本のＬＥＤバー４５Ｈは、それぞれ、Ｌ字状に呈する基板４３に実装された第１種の発光体４１および第２種の発光体４２を備えている。各第１種の発光体４１および第２種の発光体４２は、ＬＥＤ駆動回路６ｂが備えるチャンネルに接続されている。
【００８５】
（第３の発光ユニット（第３のＬＥＤバー））
また、図１１の（ｂ）に示すように、２本のＬＥＤバー４５Ｇは、それぞれ、第２種の発光体４２を備えている。各第２種の発光体４２は、ＬＥＤ駆動回路６ｂが備えるチャンネルに接続されている。
【００８６】
また、図１１の（ｃ）に示すように、２本の発光ユニット４５Ｈは、各第１種の発光体４１および第２種の発光体４２は、Ｌ字状のＬＥＤ基板４３に並べて接続されている。
【００８７】
また、図１１の（ｂ）、図１１の（ｃ）においてもＬＥＤ駆動回路６ｂのチャンネル数がともに１である。
【００８８】
また、本構成例においても、ＬＥＤ基板を１チャンネルにて印加電圧であるＶＦを同一にしている。
【００８９】
また、発光ユニット４５Ｇにおいては、例えば６つの第２種の発光体４２を備え、各第２種の発光体４２は並べて配置されている。また、発光ユニット４５Ｈにおいては、例えば６つの第１種の発光体４１および３つの第２種の発光体４２を備え、第１種の発光体４１は水平方向の中央部に並べて配置されている。各第１種の発光体４１およびの第２種の発光体４２は水平方向に互いに離間して配置されている。
【００９０】
また、図１１の（ｂ）、図１１の（ｃ）に示すように、ＬＥＤバー４５Ｇが備える駆動回路のＶＦとＬＥＤバー４５Ｈが備える駆動回路のＶＦとを同じにすることができるので、両者の駆動回路を共通化することができる。これによってコストの抑制を図ることができる。
【００９１】
以上のＬＥＤバーの構成例３−２においては、バックライトユニット４ｂが第１の発光体４１および第２の発光体４２の両方を備える発光ユニット４５Ｈと、第２の発光体４２を備えるが第１の発光体４１を備えていない第３の発光ユニット４５Ｇとを備える構成を説明したが、ＬＥＤバーの配置数および発光体の個数は例示にすぎず、本発明の構成を限定するものではない。
【００９２】
〔ソフトウェアによる実現例〕
表示装置１、１ａ、１ｂの制御ブロック（特に各制御部１１、１２）は、集積回路（ＩＣチップ）等に形成された論理回路（ハードウェア）によって実現してもよいし、ＣＰＵ（Central Processing Unit）を用いてソフトウェアによって実現してもよい。
【００９３】
後者の場合、表示装置１、１ａ、１ｂは、各機能を実現するソフトウェアである制御プログラムの命令を実行するＣＰＵ、上記制御プログラムおよび各種データがコンピュータ（またはＣＰＵ）で読み取り可能に記録されたＲＯＭ（Read Only Memory）または記憶装置（これらを「記録媒体」と称する）、上記制御プログラムを展開するＲＡＭ（Random Access Memory）などを備えている。そして、コンピュータ（またはＣＰＵ）が上記制御プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記制御プログラムは、該制御プログラムを伝送可能な任意の伝送媒体（通信ネットワークや放送波等）を介して上記コンピュータに供給されてもよい。なお、本発明の一態様は、上記制御プログラムが電子的な伝送によって具現化された、搬送波に埋め込まれたデータ信号の形態でも実現され得る。
【００９４】
〔まとめ〕
本発明の態様１に係る発光ユニット（４、４ａ、４ｂ）は、１つのＬＥＤ素子から構成される１又は複数の第１種の発光体と、２つのＬＥＤ素子から構成される１又は複数の第２種の発光体と、上記１又は複数の第１種の発光体及び上記１又は複数の第２種の発光体が実装された基板とを備えている。
【００９５】
上記の構成によれば、従来技術に比べて、発光体の種類が少ないため、より簡単かつ低コスト的な構成で表示パネル２の輝度むらの改善や中心部輝度アップを実現できる。
【００９６】
本発明の態様２に係る発光ユニット（４ａ）は、上記態様１において、複数のＬＥＤ駆動回路（６ａ）を備え、各ＬＥＤ駆動回路（６ａ）には、上記第１種の発光体（４１）を２つ纏めて接続されるか、又は、上記第２種の発光体（４２）が１つ接続されてもよい。
【００９７】
上記の構成によれば、発光ユニット（４ａ）の配線の簡素化を図ることができる。
【００９８】
本発明の態様３に係るバックライトユニットは、態様１又は２に記載の発光ユニット（４、４ａ、４ｂ）を１又は複数備えている。
【００９９】
上記の構成によれば、実状に応じて発光ユニットの配置を柔軟に行うことができる。
【０１００】
本発明の態様４に係るバックライトユニットは、上記態様３において、上記１又は複数の発光ユニットに加え、１又は複数の第２の発光ユニットを備え、上記第２の発光ユニットは、１つのＬＥＤ素子から構成される１又は複数の第１種の発光体と、上記１又は複数の第１種の発光体が実装された基板とを備え、２つのＬＥＤ素子から構成される１又は複数の第２種の発光体を備えていなくてもよい。
【０１０１】
上記の構成によれば、実状に応じて発光ユニットの配置をより柔軟に行うことができる。
【０１０２】
本発明の態様５に係るバックライトユニットは、上記態様４において、上記１又は複数の発光ユニットと、上記１又は複数の第２の発光ユニットとを、表示画面の中央部領域の明るさが、その他の領域に比べて明るくなるように配置してもよい。
【０１０３】
上記の構成によれば、表示画面の中心部を明るくすることができる。
【０１０４】
本発明の態様６に係るバックライトユニットは、上記態様３において、上記１又は複数の発光ユニットに加え、１又は複数の第３の発光ユニットを備え、上記第３の発光ユニットは、２つのＬＥＤ素子から構成される１又は複数の第２種の発光体と、上記１又は複数の第２種の発光体が実装された基板とを備え、１つのＬＥＤ素子から構成される１又は複数の第１種の発光体を備えていなくてもよい。
【０１０５】
上記の構成によれば、実状に応じて発光ユニットの配置をより柔軟に行うことができる。
【０１０６】
本発明の態様７に係るバックライトユニットは、上記態様６において、上記１又は複数の発光ユニットと、上記１又は複数の第３の発光ユニットとを、表示画面の周辺部領域の明るさが、その他の領域に比べて明るくなるように配置してもよい。
【０１０７】
上記の構成によれば、表示画面の周辺部を明るくすることができる。
【０１０８】
本発明の態様８に係るバックライトユニットは、１又は複数の第１の発光ユニットと、１又は複数の第２の発光ユニットとを備えたバックライトユニットであって、上記第１の発光ユニットは、１つのＬＥＤ素子から構成される１又は複数の第１種の発光体と、２つのＬＥＤ素子から構成される１又は複数の第２種の発光体と、上記１又は複数の第１種の発光体及び上記１又は複数の第２種の発光体が実装された基板と、上記ＬＥＤ素子を駆動する第１の駆動回路と、を備え、上記第２の発光ユニットは、１つのＬＥＤ素子から構成される１又は複数の第１種の発光体と、上記１又は複数の第１種の発光体が実装された基板と、上記ＬＥＤを駆動する第２の駆動回路とを備え、２つのＬＥＤ素子から構成される１又は複数の第２種の発光体を備えておらず、上記第１の駆動回路に接続されるＬＥＤ素子の個数と、上記第２の駆動回路に接続されるＬＥＤ素子の個数は同じである。
【０１０９】
上記の構成によれば、あるＬＥＤバーが備える駆動回路のＶＦと他のＬＥＤバーが備える駆動回路のＶＦとを同じにすることができるので、両者の駆動回路を共通化することができる。これによってコストの抑制を図ることができる。
【０１１０】
本発明の態様９に係るバックライトユニットは、１又は複数の第１の発光ユニットと、１又は複数の第３の発光ユニットとを備えたバックライトユニットであって、上記第１の発光ユニットは、１つのＬＥＤ素子から構成される１又は複数の第１種の発光体と、２つのＬＥＤ素子から構成される１又は複数の第２種の発光体と、上記１又は複数の第１種の発光体及び上記１又は複数の第２種の発光体が実装された基板と、上記ＬＥＤ素子を駆動する第１の駆動回路と、を備え、上記第３の発光ユニットは、２つのＬＥＤ素子から構成される１又は複数の第２種の発光体と、上記１又は複数の第２種の発光体が実装された基板と、上記ＬＥＤを駆動する第３の駆動回路とを備え、１つのＬＥＤ素子から構成される１又は複数の第１種の発光体を備えておらず、上記第１の駆動回路に接続されるＬＥＤ素子の個数と、上記第３の駆動回路に接続されるＬＥＤ素子の個数は同じである。
【０１１１】
上記の構成によれば、あるＬＥＤバーが備える駆動回路のＶＦと他のＬＥＤバーが備える駆動回路のＶＦとを同じにすることができるので、両者の駆動回路を共通化することができる。これによってコストの抑制を図ることができる。
【符号の説明】
【０１１２】
１、１ａ、１ｂ  表示装置（液晶表示装置）
１０  映像信号処理部
１１  表示パネル制御部
１２  バックライトユニット制御部
２  表示パネル（液晶表示パネル）
３  拡散板
４、４ａ、４ｂ  バックライトユニット（発光ユニット）
４０  ＬＥＤ素子
４１  第１種の発光体
４２  第２種の発光体
４３  基板
４５  ＬＥＤバー
５  背面筐体
６、６ａ、６ｂ  ＬＥＤ駆動回路
７０  バックライト（従来技術）
７１  ＬＥＤ発光素子（従来技術）
【図１】
2019075348.tif 000003
【図２】
2019075348.tif 000004
【図３】
2019075348.tif 000005
【図４】
2019075348.tif 000006
【図５】
2019075348.tif 000007
【図６】
2019075348.tif 000008
【図７】
2019075348.tif 000009
【図８】
2019075348.tif 000010
【図９】
2019075348.tif 000011
【図１０】
2019075348.tif 000012
【図１１】
2019075348.tif 000013
【図１２】
2019075348.tif 000014